(57)【要約】【課題】ＴＶ放送等の映像を表示部に表示させつつ動作条件の設定が可能な表示制御装置を提供する。【解決手段】映像信号に基づいて表示用信号を生成すると共に生成した表示用信号を出力することによって表示部６に表示画面を表示させる表示制御部を備えた表示制御装置であって、表示制御部は、表示制御装置の動作条件を設定するための設定用表示画面Ｇｃを表示部６に表示させる際に映像信号に基づく映像を表示するためのテレビ表示画面Ｇｔを設定用表示画面と共に表示部６に表示可能に表示用信号を生成する。【選択図】        図２
2005033421.tif 000002
【特許請求の範囲】
【請求項１】
映像信号に基づいて表示用信号を生成すると共に当該生成した表示用信号を出力することによって表示部に表示画面を表示させる表示制御部を備えた表示制御装置であって、
前記表示制御部は、当該表示制御装置の動作条件を設定するための設定用表示画面を前記表示部に表示させる際に前記映像信号に基づく映像を表示するための映像表示用画面を当該設定用表示画面と共に前記表示部に表示可能に前記表示用信号を生成する表示制御装置。
【請求項２】
前記映像信号を出力可能に構成された映像機器を接続可能に構成され、
前記表示制御部は、前記映像機器によって出力された前記映像信号に基づく映像を表示するための前記映像表示用画面を前記設定用表示画面と共に前記表示部に表示可能に前記表示用信号を生成する請求項１記載の表示制御装置。
【請求項３】
選局択操作が可能な複数の選局ボタンを有する操作部と、複数のチャンネルのうちから前記選局操作によって選局されたチャンネルに対応する前記映像信号を受信して出力する受信部とを備え、
前記表示制御部は、前記各選局ボタンに任意のチャンネルを割り当てるための割り当て設定用表示画面を前記設定用表示画面として前記表示部に表示可能に前記表示用信号を生成する請求項１または２記載の表示制御装置。
【発明の詳細な説明】
【０００１】
【発明の属する技術分野】
本発明は、映像信号に基づいて生成した表示用信号を出力することによって各種表示画面を表示部に表示させる表示制御部を備えている表示制御装置に関するものである。
【０００２】
【従来の技術】
この種の表示制御装置として、チューナー部（２）によって受信された放送電波（映像信号）に基づいて各種の表示画像（テレビジョン放送（以下、「テレビ放送」ともいう）の映像）をＣＲＴ（７）に表示可能に構成されたテレビジョン受像機が特開平８−１５４０３９号公報に開示されている。このテレビジョン受像機では、キー操作部（１５）またはリモコンのチャンネル切換えキーを操作することによって複数のチャンネルのうちから任意のチャンネルを選局可能に構成されている。また、このテレビジョン受像機では、各チャンネル切換えキーに対して割り当てるチャンネル（各チャンネル切換えキーを操作した際に選局されるチャンネルの割り当て）を使用地域に応じて自動設定可能に構成されている。この場合、工場出荷時におけるチャンネルの割り当て（チャンネルプリセット）は、各チャンネル切換えキー「１」〜「１２」に対して例えばチャンネル「ｃｈ１」〜「ｃｈ１２」がそれぞれ割り当てられた状態（ファクトリープリセットの状態）となっている。一方、テレビジョン受像機の使用開始時には、キー操作部（１５）のプリセットキー（Ｐ）が操作されることによって、使用地域に応じたチャンネルプリセットが自動設定される。
【０００３】
具体的には、使用者によってプリセットキー（Ｐ）が操作された際に、マイクロコンピュータ（１１）がチューナー部（２）に対してＶＨＦ帯の各チャンネルをスキャンさせて受信可能なチャンネルを特定する。この際に、例えば「ｃｈ２」、「ｃｈ４」、「ｃｈ５」、「ｃｈ７」、「ｃｈ９」および「ｃｈ１１」が受信可能なときには、マイクロコンピュータ（１１）は、チャンネル切換えキー「２」、「４」、「５」、「７」、「９」および「１１」に対して「ｃｈ２」〜「ｃｈ１１」を割り当てて、その割り当て結果をプリセットメモリ（１４）に記憶させる。次に、マイクロコンピュータ（１１）は、チューナー部（２）に対してＵＨＦ帯の各チャンネルをスキャンさせることによって受信可能なチャンネルを特定する。この際に、例えば「ｃｈ１３」、「ｃｈ１５」、「ｃｈ２２」、「ｃｈ３２」および「ｃｈ３５」が受信可能なときには、マイクロコンピュータ（１１）は、チャンネル切換えキー「３」、「６」、「８」、「１０」および「１２」に対して「ｃｈ１３」〜「ｃｈ３５」を割り当てて、その割り当て結果をプリセットメモリ（１４）に記憶させる。
【０００４】
次に、マイクロコンピュータ（１１）は、プリセットメモリ（１４）に記憶させた割り当て結果と、エリアデータＲＯＭ（１３）に記憶されている各エリアデータとを比較して、割り当て結果と一致するエリアデータを特定する。この際に、一致するエリアデータが存在するときには、そのエリアデータによって規定されているチャンネルプリセット（一例として、チャンネル切換えキー「１」、「３」〜「１２」に対して「ｃｈ７」、「ｃｈ９」、「ｃｈ１５」、「ｃｈ２」、「ｃｈ１３」、「ｃｈ４」、「ｃｈ１１」、「ｃｈ３５」、「ｃｈ３２」、「ｃｈ５」および「ｃｈ２２」をそれぞれ割り当てた状態）に割り当てを変更して、プリセットメモリ（１４）内の割り当て結果を変更後の内容に書き換える。この場合、エリアデータには、例えば新聞のテレビ欄における各チャンネルの記載順序に応じて各使用地域毎に受信可能なチャンネルを割り当てるプリセットデータが記録されている。したがって、プリセットメモリ（１４）内の割り当て結果がエリアデータに基づいて書き換えられることで、テレビ欄を参照しつつ容易に選局操作可能に各チャンネル切換えキーに各チャンネルが割り当てられる。この後、各チャンネル切換えキーを操作することにより、そのチャンネル切換えキーに割り当てられているチャンネルの放送電波が受信されてＣＲＴ（７）に表示画像が表示される。
【０００５】
【特許文献１】
特開平８−１５４０３９号公報（第３−７頁）
【０００６】
【発明が解決しようとする課題】
ところが、従来のテレビジョン受像機には、以下の問題点がある。すなわち、この従来のテレビジョン受像機では、プリセットキー（Ｐ）が操作された際にマイクロコンピュータ（１１）が受信可能なチャンネルを特定して各チャンネル切換えキーに対してチャンネルを自動的に設定する。この場合、各チャンネル切換えキーに対するチャンネルの割り当てについては、使用者が好みに応じて自由に変更できるのが好ましい。したがって、この種の装置では、表示部（上記の例ではＣＲＴ（７））にチャンネル設定用表示画面を表示させて各チャンネル切換えキーに対するチャンネルの割り当てを確認しつつ任意に変更可能に構成されている。しかしながら、チャンネルの割り当てを変更する際に表示させるチャンネル設定用表示画面が表示部の全体に亘って表示されているため、例えば天気予報やニュースの映像を表示させている際には、その映像がチャンネル設定用表示画面の表示によって見ることができなくなる。このため、従来のテレビジョン受像機などには、天気予報やニュース等の映像を表示させている際にチャンネルの割り当てを行うには不都合が生じるという問題点が存在する。
【０００７】
また、今日では、テレビジョン受像機の他にチューナー内蔵のビデオテープレコーダやＤＶＤレコーダ等の複数の映像機器を所有しているのが一般的となっている。この場合、チャンネル切換えキーに対するチャンネルの割り当てが映像機器毎に相違している状態では、各映像機器毎のチャンネルの割り当てを記憶しておくのが困難のため、所望のチャンネルを選局するのが困難となる。このため、すべての映像機器において対応する各チャンネル切換えキーに同一のチャンネルが割り当てられているのが好ましい。この場合、例えばビデオテープレコーダにおけるチャンネルの割り当てを確認する際には、ビデオテープレコーダのチャンネル設定用表示画面をテレビジョン受像機のＣＲＴ（７）に表示させる必要がある。しかしながら、テレビジョン受像機のチャンネル設定用表示画面をＣＲＴ（７）に表示させた際には、ビデオテープレコーダのチャンネル設定用表示画面を参照することができなくなる。このため、ビデオテープレコーダにおけるチャンネルの割り当てと一致するようにテレビジョン受像機の割り当てを変更する際には、ビデオテープレコーダにおけるチャンネルの割り当ての状態（内容）を紙などにメモしておく必要がある。このため、従来のテレビジョン受像機には、そのチャンネルの割り当てをビデオテープレコーダ等の映像機器と一致させる設定が非常に煩雑であるという問題点がある。
【０００８】
本発明は、かかる問題点に鑑みてなされたものであり、テレビ放送等の映像を表示部に表示させつつ動作条件の設定が可能な表示制御装置を提供することを主目的とし、チャンネルの割り当てを他の映像機器と容易に一致させ得る表示制御装置を提供することを他の目的とする。
【０００９】
【課題を解決するための手段】
上記目的を達成すべく本発明に係る表示制御装置は、映像信号に基づいて表示用信号を生成すると共に当該生成した表示用信号を出力することによって表示部に表示画面を表示させる表示制御部を備えた表示制御装置であって、前記表示制御部は、当該表示制御装置の動作条件を設定するための設定用表示画面を前記表示部に表示させる際に前記映像信号に基づく映像を表示するための映像表示用画面を当該設定用表示画面と共に前記表示部に表示可能に前記表示用信号を生成する。
【００１０】
この表示制御装置では、設定用表示画面を表示部に表示させる際に、表示制御部が映像表示用画面を設定用表示画面と共に表示させる表示用信号を生成して表示部に出力する。したがって、設定用表示画面を表示させて、天気予報やニュースなどの各種の映像（映像表示用画面）を見ながら各種の動作条件を設定操作することが可能になる。
【００１１】
また、本発明に係る表示制御装置は、上記の表示制御装置において、前記映像信号を出力可能に構成された映像機器を接続可能に構成され、前記表示制御部は、前記映像機器によって出力された前記映像信号に基づく映像を表示するための前記映像表示用画面を前記設定用表示画面と共に前記表示部に表示可能に前記表示用信号を生成する。
【００１２】
この表示制御装置では、設定用表示画面を表示部に表示させる際に、表示制御部が映像機器によって出力された映像信号に基づく映像を表示するための映像表示用画面を設定用表示画面と共に表示させる表示用信号を生成して表示部に出力する。したがって、設定用表示画面を表示させて、映画や天気予報などの各種の映像を見ながら各種の動作条件を設定操作することが可能になる。
【００１３】
さらに、本発明に係る表示制御装置は、上記の表示制御装置において、選局択操作が可能な複数の選局ボタンを有する操作部と、複数のチャンネルのうちから前記選局操作によって選局されたチャンネルに対応する前記映像信号を受信して出力する受信部とを備え、前記表示制御部は、前記各選局ボタンに任意のチャンネルを割り当てるための割り当て設定用表示画面を前記設定用表示画面として前記表示部に表示可能に前記表示用信号を生成する。
【００１４】
この表示制御装置では、割り当て設定用表示画面を表示部に表示させる際に、表示制御部が映像機器によって出力された映像信号に基づく映像を表示するための映像表示用画面を割り当て設定用表示画面と共に表示させる表示用信号を生成して表示部に出力する。したがって、例えばビデオテープレコーダ（映像機器）のチャンネルを設定するための設定用表示画面を映像表示用画面として表示させることにより、映像表示用画面に表示されたビデオテープレコーダの各選局ボタンに対するチャンネルの割り当てを参照しつつ、表示制御装置の各選局ボタンに所望のチャンネルを割り当てることが可能となる。このため、表示制御装置の各選局ボタンに対するチャンネルの割り当てをビデオテープレコーダの各選局ボタンに対するチャンネルの割り当てと容易に一致させることが可能になる。
【００１５】
【発明の実施の形態】
以下、添付図面を参照して、本発明に係る表示制御装置の好適な発明の実施の形態について説明する。
【００１６】
最初に、テレビジョン装置１の構成について説明する。図１に示すテレビジョン装置１は、本発明に係る表示制御装置と本発明における表示部とを備えて、放送電波に基づくテレビ放送（映像）の表示が可能に構成されると共に、録画再生装置２などを接続可能に構成されている。この場合、録画再生装置２は、本発明における映像機器の一例であって、ビデオテープレコーダ、ＤＶＤレコーダおよびＨＤＤレコーダ等のチューナ内蔵型映像機器で構成されている。一方、テレビジョン装置１は、チューナ部３、映像信号入力部４、表示制御部５、表示部６、操作部７、主制御部８およびメモリ９を備えて構成されている。
【００１７】
チューナ部３は、本発明における受信部に相当し、主制御部８の制御下で図示しないアンテナおよび通信ケーブル等を介して映像信号を受信して表示制御部５にテレビ映像信号Ｓｔを出力する。なお、このテレビジョン装置１は、実際には、音声信号の受信（入力）、および音声信号に基づく音声の出力が可能に構成されているが、本発明についての理解を容易とするために、以下の説明において音声に関する処理の説明を省略する。映像信号入力部４は、インターフェース回路であって、録画再生装置２の他に各種チューナやデコーダ等の映像機器を接続可能に構成されて、これらの映像機器によって出力されたビデオ映像信号Ｓｖを表示制御部５に出力する。表示制御部５は、チューナ部３によって出力されたテレビ映像信号Ｓｔ、映像信号入力部４によって出力されたビデオ映像信号Ｓｖ、および主制御部８によって出力されたＯＳＤ（Ｏｎ  Ｓｃｒｅｅｎ  Ｄｉｓｐｌａｙ  ）信号Ｓｏ等に基づいて表示用信号Ｓｈを生成して表示部６に出力する。
【００１８】
表示部６は、特に限定されないが、一例として、スクリーンパネルに対してその背面から投射光を投射して各種の表示画面を投射表示可能に構成された背面投射型のプロジェクタで構成されている。操作部７は、後述するチャンネル設定用表示画面（以下、「設定用表示画面」ともいう）Ｇｃ（図２，３参照）などを表示部６に表示させるためのメニューボタンや、選局ボタン「１」〜「１２」などの複数の操作ボタンが配列されて構成されている。なお、このテレビジョン装置１は、操作部７の各操作ボタンと同様の複数の操作ボタンが配列されたリモコン（図示せず）を備えており、このリモコンも本発明における操作部として機能する。主制御部８は、表示制御部５の動作を制御すると共に、操作部７による操作に従ってチューナ部３に所定のチャンネルの映像信号を受信させる。メモリ（記憶部）９は、操作部７の各選局ボタンに対するチャンネルの割り当てを地域コードに対応させたチャンネル割り当て基準データ（以下、「割り当て基準データ」ともいう）Ｄｓ、後述する設定操作によって各選局ボタンに割り当てられたチャンネルを特定可能なチャンネル割り当てデータ（以下、「割り当てデータ」ともいう）Ｄｃ、および主制御部８の動作プログラムなどを記憶する。
【００１９】
次に、テレビジョン装置１の使用方法について、図面を参照して説明する。このテレビジョン装置１の使用を開始する際には、操作部７のメニューボタンを操作して初期設定画面（図示せず）を表示部６に表示させると共に、各操作ボタンを操作して例えばテレビジョン装置１の使用地域に対して付与されている地域コードを入力する。この際に、主制御部８がメモリ９から割り当て基準データＤｓを読み出すと共に、入力された地域コードに関連付けられている割り当て（各選局ボタンに対するチャンネルの割り当て）に従って各選局ボタンにチャンネルを割り当てて、その割り当て結果を割り当てデータＤｃとしてメモリ９に記憶させる。これにより、テレビジョン装置１の使用地域において受信可能なチャンネルが各選局ボタン「１」〜「１２」に対してそれぞれ割り当てられて、操作部７による選局操作が可能な状態となる。
【００２０】
また、このテレビジョン装置１では、上記の初期設定によるチャンネルの割り当てに代えて、使用者の好みに応じて各選局ボタンに対するチャンネルの割り当てを設定（変更）することもできる。具体的には、まず、操作部７のメニューボタン等を操作して設定用表示画面Ｇｃ（図２参照）を表示部６に表示させる。この場合、メニューボタンを操作する直前に「ｃｈ４２」のテレビ放送（例えば天気予報）を表示部６に表示させていたものとする。この際に、チューナ部３が「ｃｈ４２」の映像信号（放送電波）を引き続き受信して表示制御部５にテレビ映像信号Ｓｔを出力する。また、主制御部８が、設定用表示画面Ｇｃを表示させるためのＯＳＤ信号Ｓｏを表示制御部５に出力する。これに応じて、表示制御部５は、チューナ部３によって出力されたテレビ映像信号Ｓｔと主制御部８によって出力されたＯＳＤ信号Ｓｏとに基づいて、テレビ放送を表示させるためのテレビ表示画面Ｇｔを設定用表示画面Ｇｃと共に表示させる表示用信号Ｓｈを生成して表示部６に出力する。
【００２１】
この際に、表示制御部５は、設定用表示画面Ｇｃがメイン画面として大きく表示され、かつテレビ表示画面Ｇｔがサブ画面として若干小さく表示されるように表示用信号Ｓｈを生成する。これにより、図２に示すように、各選局ボタンに対するチャンネルの割り当てを変更するための設定用表示画面Ｇｃ（本発明における設定用表示画面としての割り当て設定用表示画面の一例）と、テレビ放送を表示させるためのテレビ表示画面Ｇｔとが表示部６に並んで表示される。したがって、天気予報画面（テレビ表示画面Ｇｔ）を表示させつつチャンネルの設定を行うことができる。この後、操作部７の各操作ボタンを操作して、所望の選局ボタンに所望のチャンネルを割り当てる（割り当てを変更する）。この際に、主制御部８は、変更された割り当て内容を割り当てデータＤｃとしてメモリ９に記憶させる。これにより、変更後の割り当てに従っての選局操作が可能となる。なお、ここでは、テレビ表示画面Ｇｔに「ｃｈ４２」の映像（天気予報画面）を表示させた状態でチャンネルの設定を行う例について説明したが、チャンネルの設定に際して、カーソル表示Ｃによって選択されているチャンネル（カーソル表示Ｃが重ねて表示されているチャンネル）をテレビ表示画面Ｇｔに表示させることもできる。この際には、カーソル表示Ｃによって選択しているチャンネルがどのテレビ放送なのかを確認しつつチャンネルの割り当てを変更することができる。
【００２２】
一方、このテレビジョン装置１では、録画再生装置２の各選局ボタンに対するチャンネルの割り当てと一致するように操作部７の各選局ボタンに対する割り当てを変更する際に、録画再生装置２におけるチャンネルの割り当て内容を参照しつつ設定用表示画面Ｇｃにおいてチャンネルの割り当てを変更操作することが可能となっている。この場合、最初に、操作部７を操作することにより、上記のテレビ表示画面Ｇｔに代えてビデオ表示画面Ｇｖ（図３参照）を表示部６に表示させる。この際に、表示制御部５は、映像信号入力部４によって出力されたビデオ映像信号Ｓｖ（録画再生装置２によって出力されたビデオ映像信号Ｓｖ）と主制御部８によって出力されたＯＳＤ信号Ｓｏとに基づいて、設定用表示画面Ｇｃと共にビデオ表示画面Ｇｖを表示させる表示用信号Ｓｈを生成して表示部６に出力する。次に、録画再生装置２の操作部を操作することにより、録画再生装置２をチャンネル設定モードにする。この際に、録画再生装置２は、チャンネル設定用表示画面（録画再生装置２の選局ボタンに対するチャンネルの割り当てを設定するための設定用表示画面）を表示させるビデオ映像信号Ｓｖを出力する。
【００２３】
これに応じて、表示制御部５は、録画再生装置２のチャンネル設定用表示画面をビデオ表示画面Ｇｖとして設定用表示画面Ｇｃと共に表示させる表示用信号Ｓｈを生成して表示部６に出力する。これにより、図３に示すように、テレビジョン装置１における各選局ボタンに対するチャンネルの割り当てを変更するための設定用表示画面Ｇｃと、録画再生装置２におけるチャンネルの割り当てを参照可能なビデオ表示画面Ｇｖとが表示部６に並んで表示されて、ビデオ表示画面Ｇｖに表示されたチャンネルの割り当てを参照しつつテレビジョン装置１のチャンネル設定を確実かつ容易に行うことができる。この後、操作部７の各操作ボタンを操作して、所望の選局ボタンに所望のチャンネルを割り当てる（割り当てを変更する）。この際に、主制御部８は、変更された割り当ての内容を割り当てデータＤｃとしてメモリ９に記憶させる。これにより、各選局ボタンに対するチャンネルの割り当てが録画再生装置２と一致するように変更されて、録画再生装置２と同様の選局操作が可能な状態となる。
【００２４】
このように、このテレビジョン装置１によれば、各選局ボタンに対するチャンネルの割り当てを設定する設定用表示画面Ｇｃを表示部６に表示させる際に表示制御部５が設定用表示画面Ｇｃと共にテレビ表示画面Ｇｔを表示させる表示用信号Ｓｈを生成することにより、チャンネルの割り当て設定時にテレビ表示画面Ｇｔを見ながら、設定用表示画面Ｇｃを表示させてチャンネルの割り当てを変更操作することができる。また、このテレビジョン装置１によれば、表示制御部５が録画再生装置２によって出力されたビデオ映像信号Ｓｖに基づく映像を表示させるためのビデオ表示画面Ｇｖを設定用表示画面Ｇｃと共に表示部６に表示させる表示用信号Ｓｈを生成することにより、例えば録画再生装置２のチャンネル割り当てを表示させつつテレビジョン装置１の各選局ボタンに対するチャンネルの割り当てを設定することができる。したがって、録画再生装置２の選局ボタンに対するチャンネルの割り当てと、テレビジョン装置１の選局ボタンに対するチャンネルの割り当てとを確実かつ容易に一致させることができる。
【００２５】
なお、本発明は、上記した本発明の実施の形態に限定されない。例えば、本発明の実施の形態では、背面投射型のプロジェクタで構成された表示部６を有するテレビジョン装置１について説明したが、本発明における表示部はこれに限定されず、ＣＲＴや液晶ディスプレイ等の各種の表示器で構成することができる。また、本発明の実施の形態では、本発明に係る表示制御装置と本発明における表示部とを一体化したテレビジョン装置１を例に挙げて説明したが、本発明はこれに限定されず、表示部を備えていないビデオテープレコーダ、ＤＶＤレコーダおよびＨＤＤレコーダや、チューナおよびデコーダ等の映像機器（表示制御装置）に適用することができる。
【図面の簡単な説明】
【図１】テレビジョン装置１の構成を示すブロック図である。
【図２】表示部６の表示画面の一例を示す表示画面図である。
【図３】表示部６の表示画面の他の一例を示す表示画面図である。
【符号の説明】
１  テレビジョン装置、２  録画再生装置、３  チューナ部、４  映像信号入力部、５  表示制御部、６  表示部、７  操作部、８  主制御部、９  メモリ、Ｄｃ  割り当てデータ、Ｄｓ  割り当て基準データ、Ｓｈ  表示用信号、Ｓｏ  ＯＳＤ信号、Ｓｔ  テレビ映像信号、Ｓｖ  ビデオ映像信号、Ｇｃ  設定用表示画面、Ｇｔ  テレビ表示画面、Ｇｖ  ビデオ表示画面
【図１】
2005033421.tif 000003
【図２】
2005033421.tif 000004
【図３】
2005033421.tif 000005